(57)【要約】【課題】ゴーストリダクション処理回路の後段にＡ／Ｄ変換器及びＤ／Ａ変換器を含むデジタル信号処理回路が接続されたテレビジョン受信機において、ゴーストリダクションの動作状態に応じてＡ／Ｄ変換器のダイナミックレンジを可変することで、ノイズ性能の改善を図る。【解決手段】ゴーストリダクション処理回路の後段に、Ａ／Ｄ変換器及びＤ／Ａ変換器を有するデジタル信号処理回路を配置したテレビジョン受信機において、ゴーストリダクション処理回路での処理状態を検出する検出回路と、この検出回路の出力に応答して前記Ａ／Ｄ変換器及びＤ／Ａ変換器の動作状態を制御する動作設定手段とを具備し、ゴーストリダクション処理が行われた状態ではＡ／Ｄ変換器を広いダイナミックレンジで動作させ、ゴーストリダクション処理が行われなかった状態ではＡ／Ｄ変換器を狭いダイナミックレンジで動作させる。【選択図】　　図１
2004015265.tif 000002
【特許請求の範囲】
【請求項１】
テレビジョン信号が供給される入力端子と、
前記入力端子に供給されたテレビジョン信号にゴースト除去用の基準信号が含まれる場合、その基準信号を利用してゴーストリダクション処理を施して出力するとともに、前記基準信号が含まれない場合、前記テレビジョン信号をそのまま出力するゴーストリダクション処理回路と、
前記ゴーストリダクション処理回路での処理状態を検出する検出回路と、
前記ゴーストリダクション処理回路の後段に配置され、入力部にアナログ・デジタル変換器を有し、出力部にデジタル・アナログ変換器を有するデジタル信号処理回路と、
前記デジタル信号処理回路に接続され、前記検出回路の出力に応答して前記アナログ・デジタル変換器及び前記デジタル・アナログ変換器の動作状態を制御する動作設定手段とを具備し、
前記動作設定手段は、前記ゴーストリダクション処理が正常に行われた状態では前記アナログ・デジタル変換器を狭いダイナミックレンジで動作させるとともに、ゴーストリダクション処理が正常に行われなかった状態では前記アナログ・デジタル変換器を前記ダイナミックレンジよりも広いダイナミックレンジで動作させ、かついずれの状態にあっても前記デジタル・アナログ変換器からの出力レベルをほぼ一定にするように制御することを特徴とするゴーストリダクション機能を備えたテレビジョン受信機。
【請求項２】
前記ゴーストリダクション処理回路は、ゴースト除去用のフィルタと、受信されたテレビジョン信号に含まれるゴースト除去用基準信号をもとに演算を繰り返して前記フィルタのタップ係数を設定する演算回路を具備し、前記設定された係数に基づいて前記テレビジョン信号にゴーストリダクション処理を施すとともに、前記係数が設定されない場合、前記テレビジョン信号をそのまま出力するようにしたことを特徴とする請求項１記載のゴーストリダクション機能を備えたテレビジョン受信機。
【請求項３】
前記動作設定手段は、前記デジタル信号処理回路の入力部前段に配置された第１のレベル調整回路を有し、
ゴーストリダクション処理が正常に行われた状態では、前記アナログ・デジタル変換器が狭いダイナミックレンジで動作するように前記第１のレベル調整回路を制御して前記アナログ・デジタル変換器の入力レベルを高くし、
ゴーストリダクション処理が正常に行われなかった状態では、前記アナログ・デジタル変換器が前記ダイナミックレンジよりも広いダイナミックレンジで動作するように、前記第１のレベル調整回路を制御して前記アナログ・デジタル変換器の入力レベルを低くするようにしたことを特徴とする請求項１記載のゴーストリダクション機能を備えたテレビジョン受信機。
【請求項４】
前記第１のレベル調整回路は、第１の抵抗を介して前記アナログ・デジタル変換器に入力信号を供給するとともに、前記アナログ・デジタル変換器の入力端と基準電位点間に第１の可変抵抗回路を接続し、前記検出回路の検出出力に応答して前記第１の可変抵抗回路の抵抗値を切り換えるようにしたことを特徴とする請求項３記載のゴーストリダクション機能を備えたテレビジョン受信機。
【請求項５】
前記第１のレベル調整回路は、前記アナログ・デジタル変換器のリファレンス電圧端と基準電位点間に接続した第２の可変抵抗回路を有し、前記検出回路の検出出力に応答して前記第２の可変抵抗回路の抵抗値を切り換えるようにしたことを特徴ととする請求項３記載のゴーストリダクション機能を備えたテレビジョン受信機。
【請求項６】
前記動作設定手段は、前記デジタル信号処理回路の出力部後段に配置された第２のレベル調整回路を有し、
ゴーストリダクション処理の状態がいずれの状態にあっても、前記デジタル・アナログ変換器からの出力レベルを一定にするように前記第２のレベル調整回路を制御することを特徴とする請求項１記載のゴーストリダクション機能を備えたテレビジョン受信機。
【請求項７】
前記第２のレベル調整回路は、第２の抵抗を介して前記デジタル・アナログ変換器からの出力信号を出力端に供給するとともに、前記出力端と基準電位点間に第３の可変抵抗回路を接続し、前記検出回路の検出出力に応答して前記第３の可変抵抗回路の抵抗値を切り換えるようにしたことを特徴ととする請求項６記載のゴーストリダクション機能を備えたテレビジョン受信機。
【請求項８】
前記第２のレベル調整回路は、前記デジタル・アナログ変換器のリファレンス電圧端と基準電位点間に接続した第４の可変抵抗回路を有し、前記検出回路の検出出力に応答して前記第４の可変抵抗回路の抵抗値を切り換えるようにしたことを特徴ととする請求項６記載のゴーストリダクション機能を備えたテレビジョン受信機。
【請求項９】
テレビジョン信号が供給される入力端子と、
ゴースト除去用のフィルタと、前記入力端子からのテレビジョン信号に含まれるゴースト除去用基準信号をもとに演算を繰り返して前記フィルタのタップ係数を設定する演算回路を有し、前記設定された係数に基づいて前記テレビジョン信号にゴーストリダクション処理を施すとともに、前記係数が設定されない場合、前記テレビジョン信号をそのまま出力するようにしたゴーストリダクション処理回路と、
前記ゴーストリダクション処理回路での処理状態を検出し、前記ゴーストリダクション処理が正常に行われた第１の状態と、ゴーストリダクション処理が正常に行われなかった第２の状態とでそれぞれ異なる検出出力を発生する検出回路と、
前記ゴーストリダクション処理回路の後段に配置され、入力部にアナログ・デジタル変換器を有し、出力部にデジタル・アナログ変換器を有するデジタル信号処理回路と、
前記デジタル信号処理回路の入力部前段に配置された第１のレベル調整回路と、前記デジタル信号処理回路の出力部後段に配置された第２のレベル調整回路を含み、前記検出回路の検出出力に応答して、前記第１、第２のレベル調整回路を制御して前記アナログ・デジタル変換器及び前記デジタル・アナログ変換器の動作状態を切り換える動作設定手段とを具備し、
前記動作設定手段は、前記ゴーストリダクション処理が前記第１の状態では前記アナログ・デジタル変換器を狭いダイナミックレンジで動作させるとともに、前記第２の状態では前記アナログ・デジタル変換器を前記ダイナミックレンジよりも広いダイナミックレンジで動作させるように前記第１のレベル調整回路を制御し、かついずれの状態にあっても前記デジタル・アナログ変換器からの出力レベルをほぼ一定にするように前記第２のレベル調整回路を制御することを特徴とするゴーストリダクション機能を備えたテレビジョン受信機。
【発明の詳細な説明】
【０００１】
【発明の属する技術分野】
この発明は、ゴーストを低減させるためのゴーストリダクション機能を備えたテレビジョン受信機に関する。
【０００２】
【従来の技術】
周知のように、例えばテレビジョン受信機、ＶＴＲ（Ｖｉｄｅｏ　Ｔａｐｅ　Ｒｅｃｏｒｄｅｒ）、又はテレビジョンチューナ等のように、放送されたテレビジョン信号を受信する装置にあっては、ゴーストによる受信障害を改善することが大きな課題となっており、従来より、種々のゴーストキャンセラが開発されている。
【０００３】
ゴーストキャンセラは、テレビジョン放送信号の垂直帰線期間にゴーストキャンセル用の基準信号であるＧＣＲ信号を挿入して送信し、受信側に設けられたゴーストリダクション処理部が、受信したＧＣＲ信号を基にゴーストリダクション処理を行なうものである。
【０００４】
このゴーストリダクション処理部は、ゴースト除去フィルタを含み、そのゴースト除去のアルゴリズムとして、フィードバック制御形とフィードフォワード制御形との２種類があるが、いずれも、基本的には、受信されたＧＣＲ信号のひずみを検出し、その検出結果に基づいてゴースト除去フィルタのタップ係数を演算することにより、ゴースト成分を除去するようにしている。
【０００５】
また、このゴーストリダクション処理部では、放送信号に重畳されているＧＣＲ信号の波形がテレビ受信機側で記憶しているＧＣＲ基準信号の波形と同じになるようにフィルタのタップ係数を演算し、ゴースト除去を行うものであり、信号レベルについてもそれぞれのＧＣＲ信号が、記憶しているＧＣＲ基準信号の波形と一致するように動作するため、ゴーストリダクション処理部の出力信号の最大レベルは所定値に保たれ、いわゆる自動利得制御（ＡＧＣ）と同様な効果が得られるという性質を有している。
【０００６】
ところで、このようなゴーストリダクション処理部を有する受信機においては、その後段にＡ／Ｄコンバータ（アナログ・デジタル変換器）及びＤ／Ａコンバータ（デジタル・アナログ変換器）を有するデジタル信号処理回路を設けることが多い。
【０００７】
例えば、ゴーストリダクション処理部の後段には、Ｙ／Ｃ分離回路や映像・色信号処理回路が直列に接続され、さらにその後段に走査変換回路（Ｉ／Ｐ変換回路）が設けられる場合がある。この場合、走査変換回路の出力はＲＧＢ変換回路に供給され、このＲＧＢ変換回路の出力を受像管等の表示装置に供給するようにしている。
【０００８】
上記走査変換回路は、映像・色信号処理回路からの出力信号（アナログ信号）をデジタル信号に変換するＡ／Ｄ変換器と、デジタル変換された信号を走査変換して出力するＩ／Ｐ変換器と、このＩ／Ｐ変換器からの出力信号（デジタル信号）をアナログ信号に変換するＤ／Ａ変換器とから成っている。
【０００９】
ところで、一般的に上記デジタル信号処理回路を備えたテレビジョン受信機では、入力される信号振幅が１００％のとき、Ａ／Ｄ変換後の信号レベルは許容信号振幅（以下ダイナミックレンジと呼ぶ）の８０％程度になるように設定している。
【００１０】
これは、前段回路、例えばチューナの復調回路において、復調時に振幅誤差が生じたり、あるいは放送信号以外の外部入力信号を受信した場合に規定値以上（１００％以上）の振幅を有する信号が供給されることがあっても信号がスライスされないように余裕を持たせるためである。
【００１１】
一方、デジタル信号処理回路において、クロックノイズ等による画面への悪影響を低減するためには、上記ダイナミックレンジを１００％で使用する方がＳ／Ｎ（信号対雑音比）を向上する上で、有効である。
【００１２】
しかしながら、上述したようにゴーストリダクション処理部は、ＡＧＣ作用を有するため、Ａ／Ｄ変換器への入力レベルはほぼ一定値になり、Ａ／Ｄ変換後の信号レベルはダイナミックレンジの約８０％に設定されているため、ノイズによる画面への悪影響を受けやすいという問題がある。
【００１３】
また、特開平５−４１８２０号公報には、入力段にＡ／Ｄ変換部を配置し、出力段にＤ／Ａ変換部を配置した、ゴースト除去とＹ／Ｃ分離とを行うデジタル信号処理部が記載されており、前記Ａ／Ｄ変換部の前段、及び前記Ｄ／Ａ変換部の後段にそれぞれ可変利得増幅部を設置し、前記デジタル信号処理部に入力されるテレビジョン信号がビデオ再生装置から供給される再生ビデオ信号である場合には、入力側の可変利得増幅部の利得を増加させると共に出力側の可変利得増幅部の利得を減少させるようにした例が示されている。
【００１４】
つまり、ゴースト除去装置では、入力されるアナログテレビジョン信号のＡ／Ｄ変換が必要になり、このアナログテレビジョン信号の振幅が相当程度変動するので、Ａ／Ｄ変換部の入力レベル範囲に適宜なマージンを付加して広めに設定しているが、ビデオテープレコーダ等の再生ビデオ信号については、ゴーストに対する配慮が不要であるため、同一のマージンが付加されるとデジタル信号の振幅が減少し、処理精度が低下するという問題に対処したものである。
【００１５】
しかしながら、上記公報に記載された例では、入力信号が再生ビデオ信号か否かで、可変利得増幅部の利得を制御するものであるため、一般のテレビジョン放送信号のゴースト除去性能に応じて利得制御を行うものではない。また、ゴースト除去装置では、前述したようにＡＧＣ作用によりその出力が一定に保たれるため、その後段にさらにＡ／Ｄ変換器及びＤ／Ａ変換器を有する回路が設けられた場合、Ａ／Ｄ変換器への入力レベルはほぼ一定値になり、Ａ／Ｄ変換後の信号レベルはダイナミックレンジの約８０％に設定されているためノイズによる画面への悪影響を受けやすいという問題がある。
【００１６】
【発明が解決しようとする課題】
このように従来のゴーストリダクション機能を備えたテレビジョン受信機においては、ゴースト除去装置でのＡＧＣ作用によりその出力が一定に保たれるため、その後段にＡ／Ｄ変換器及びＤ／Ａ変換器を有する回路が設けられた場合、Ａ／Ｄ変換器への入力レベルはほぼ一定値になり、Ａ／Ｄ変換後の信号レベルはダイナミックレンジの約８０％に設定されているためノイズによる画面への悪影響を受けやすいという問題があった。
【００１７】
本発明は上記問題点に鑑み、ゴーストリダクションの動作が正常に行われた場合と、ゴーストリダクションの動作が十分に行われなかった場合とで、Ａ／Ｄ変換器の入力レベル及びＤ／Ａ変換器の出力レベルを制御し、ダイナミックレンジの設定を可変することで、ノイズ性能を改善したテレビジョン受信機を提供することを目的とする。
【００１８】
【課題を解決するための手段】
この発明に係るゴーストリダクション機能を備えたテレビジョン受信機は、
テレビジョン信号が供給される入力端子と、
前記入力端子に供給されたテレビジョン信号にゴースト除去用の基準信号が含まれる場合、その基準信号を利用してゴーストリダクション処理を施して出力するとともに、前記基準信号が含まれない場合、前記テレビジョン信号をそのまま出力するゴーストリダクション処理回路と、
前記ゴーストリダクション処理回路での処理状態を検出する検出回路と、
前記ゴーストリダクション処理回路の後段に配置され、入力部にアナログ・デジタル変換器を有し、出力部にデジタル・アナログ変換器を有するデジタル信号処理回路と、
前記デジタル信号処理回路に接続され、前記検出回路の出力に応答して前記アナログ・デジタル変換器及び前記デジタル・アナログ変換器の動作状態を制御する動作設定手段とを具備し、
前記動作設定手段は、前記ゴーストリダクション処理が正常に行われた状態では前記アナログ・デジタル変換器を狭いダイナミックレンジで動作させるとともに、ゴーストリダクション処理が正常に行われなかった状態では前記アナログ・デジタル変換器を前記ダイナミックレンジよりも広いダイナミックレンジで動作させ、かついずれの状態にあっても前記デジタル・アナログ変換器からの出力レベルをほぼ一定にするように制御することを特徴とするものである。
【００１９】
この構成では、ゴーストリダクションが正常に動作した場合には、Ａ／Ｄ変換器を狭いダイナミックレンジ（例えばダイナミックレンジ１００％）使用することにより、Ｓ／Ｎ比が向上したノイズの少ない映像を提供することができる。また、ゴーストリダクションが正常に動作しない場合は、広いダイナミックレンジ（例えばダイナミックレンジを８０％）で使用するため、信号がスライスされることを防止できる。
【００２０】
【発明の実施の形態】
以下、この発明の実施形態について図面を参照して詳細に説明する。
【００２１】
図１は、本発明の第１の実施形態に係わるゴーストリダクション機能を備えたテレビジョン受信機の回路ブロック図である。
【００２２】
図１において、アンテナ１１で受信されたテレビジョン放送電波は、選局回路１２に供給されて所望のチャンネルのテレビジョン信号が選局される。この選局回路１２で選局されたテレビジョン信号は、ゴーストリダクション処理回路１３（以下ＧＲ回路１３という）に供給される。
【００２３】
ＧＲ回路１３は、選局回路１２から出力されたアナログのテレビジョン信号をデジタル化するＡ／Ｄ（Ａｎａｌｏｇ／Ｄｉｇｉｔａｌ）変換器１３ａと、このＡ／Ｄ変換器１３ａから出力されたデジタルテレビジョン信号に対してゴースト低減処理を施すデジタルフィルタ回路１３ｂと、このデジタルフィルタ回路１３ｂから出力されたデジタルテレビジョン信号をアナログ化して出力するＤ／Ａ（Ｄｉｇｉｔａｌ／Ａｎａｌｏｇ）変換器１３ｃと、外部からの制御に基づいて、デジタルフィルタ回路１３ｂに設定する係数を選局回路１２から出力されたテレビジョン信号の垂直帰線期間に重畳されたＧＣＲ信号から解析・演算する演算回路１３ｄとから構成されている。
【００２４】
このＧＲ回路１３の出力信号は、Ｙ（輝度信号）／Ｃ（色信号）分離回路１４に供給される。このＹ／Ｃ分離回路１４は、入力されたテレビジョン信号を輝度信号Ｙと色信号Ｃとに分離し、Ｖ／Ｃ／Ｄ（Ｖｉｄｅｏ／Ｃｈｒｏｍａ／　Ｄｅｆｌｅｃｔｉｏｎ）処理回路１５に出力する。このＶ／Ｃ／Ｄ処理回路１５は、映像信号の処理、及び色信号の復調等のほか、同期分離回路等を含むもので、１つの集積回路として構成されたものである。
【００２５】
このＶ／Ｃ／Ｄ処理回路１５からの出力信号は、デジタル信号処理回路１６を介してＲＧＢ変換回路１７に供給され、このＲＧＢ変換回路１７によって後段の受像管（Ｃｏｌｏｒ　Ｐｉｃｔｕｒｅ　Ｔｕｂｅ）１８を駆動するＲＧＢ信号を得るようにしており、このＲＧＢ信号に基づいてテレビジョン信号が表示されるようになる。
【００２６】
前記デジタル信号処理回路１６は、例えば走査変換回路であり、Ｖ／Ｃ／Ｄ処理回路１５からの出力信号（アナログ信号）をデジタル信号に変換するＡ／Ｄ変換器１６ａと、デジタル変換された信号を走査変換して出力するＩ／Ｐ変換器１６ｂと、このＩ／Ｐ変換器１６ｂからの出力信号（デジタル信号）をアナログ信号に変換するＤ／Ａ変換器１６ｃとから成っている。なお、デジタル信号処理回路１６としては走査変換回路の他に、垂直又は水平スケーリング処理回路等がある。
【００２７】
また前記Ａ／Ｄ変換器１６ａの前段及びＤ／Ａ変換器１６ｃの後段にはそれぞれレベル調整回路１９ａ，１９ｂが設けられている。
【００２８】
ここで、上記ＧＲ回路１３は、マイクロコンピュータにて成る制御回路２０によって、ゴーストリダクション機能のオン／オフが行われ、キー操作部２１による操作情報、または、リモートコントローラ２２から送出され受信器２３で受信された操作情報に基づいて、ＧＲ回路１３のオン／オフ設定を制御している。
【００２９】
この制御回路２０は、キー操作部２１またはリモートコントローラ２２から、ＧＲ回路１３をオンに設定する操作情報を受けると、演算部１３ｄに対して演算開始の指示を行う。演算部１３ｄは、テレビジョン信号に重畳されているＧＣＲ信号の解析・演算処理を繰り返して係数を設定し、デジタルフィルタ部１３ｂに供給する。デジタルフィルタ部１３ｂは、演算部１３ｄで設定された係数が供給されるまでは、入力されたテレビジョン信号を非のまま、つまり、何も処理を行わない信号を出力しているが、係数が供給された後は、ゴーストの低減された信号を出力する。なお、演算部１３ｄは、その後もＧＣＲ信号の解析・演算処理を繰り返して、デジタルフィルタ部１３ｂに与える係数を更新し、係数を最適化するように動作する。
【００３０】
また、前記制御回路２０は、前記ＧＲ回路１３によるゴーストリダクションの動作状態に応じて前記レベル調整回路１９ａ，１９ｂの制御を行う。即ち、制御回路２０は、入力された映像信号にＧＣＲ基準信号が重畳されていない場合や、映像信号レベルが不安定で同期外れが発生した場合のようにゴーストリダクション処理が正常に行えなかった場合と、ゴーストリダクション処理が正常に行えた場合とを検出する検出回路２０１を備えており、この検出回路２０１の検出結果に応じてレベル調整回路１９ａ，１９ｂの制御を行う。
【００３１】
なお、前記ＧＲ回路１３には選局回路１２からのテレビジョン信号以外に、ＶＴＲ等の外部入力信号が入力される場合もある。この場合、ＧＲ回路１３の前段には信号選択回路２４を配置し、選局回路１２からの信号又は外部入力端子２５からの信号のいずれかを選択してＧＲ回路１３に供給するようにすればよい。尚、信号選択回路２４はリモートコントローラ２２等の操作に基づいて制御回路２０の制御によって選択される。
【００３２】
次に前記レベル調整回路１９ａ，１９ｂの具体回路について図２を参照して説明する。レベル調整回路１９ａは、Ｖ／Ｃ／Ｄ処理回路１５からの出力信号が供給される入力端子３１と前記デジタル信号処理回路１６のＡ／Ｄ変換器１６ａ間に接続された抵抗Ｒ１と、この抵抗Ｒ１の出力端（Ａ／Ｄ変換器１６ａの入力端）と基準電位点間に接続された抵抗Ｒ２と、さらにこの抵抗Ｒ２と並列に接続された抵抗Ｒ３とスイッチＳ１との直列回路とから成り、スイッチＳ１を前記検出回路２０１からの制御信号に応答してオンオフするようにしている。
【００３３】
また、レベル調整回路１９ｂは、前記デジタル信号処理回路１６のＤ／Ａ変換器１６ｃと出力端子３２間に接続された抵抗Ｒ１１と、この抵抗Ｒ１１の出力端（出力端子３２）と基準電位点間に接続された抵抗Ｒ１２と、さらにこの抵抗Ｒ１２と並列に接続された抵抗Ｒ１３とスイッチＳ２との直列回路とから成り、スイッチＳ２を前記検出回路２０１からの制御信号に応答してオンオフするようにしている。上記スイッチＳ１，Ｓ２としては、ＦＥＴやトランジスタによるスイッチ素子が用いられる。
【００３４】
なお、上記実施例において、各抵抗の値を例示すると、以下の通りである。
【００３５】
Ｒ１＝１．２ｋΩ、Ｒ２＝２．０ｋΩ、Ｒ３＝３．０ｋΩ
Ｒ１１＝１．２ｋΩ、Ｒ１２＝２．０ｋΩ、Ｒ１３＝３．０ｋΩ
また、スイッチＳ１とＳ２は連動してスイッチング動作し、ゴーストリダクション処理が正常に行えた場合（第１の状態）、スイッチＳ１はオフし、スイッチＳ２はオンする。一方、ゴーストリダクション処理が正常に行えなかった場合（第２の状態）、スイッチＳ１はオンし、スイッチＳ２はオフする。
【００３６】
次にこのようなレベル調整回路１９ａ、１９ｂの動作について説明する。なお、本実施例においては、Ｖ／Ｃ／Ｄ回路１５からは振幅３．２Ｖの映像信号が出力されているものとし、Ａ／Ｄ変換器１６ａは２Ｖで入力するとダイナミックレンジ１００％となるものとする。
【００３７】
先ず、ＧＲ回路１３にてゴーストリダクション処理が正常に行えた場合、制御回路２０は、スイッチＳ１をオフとし、スイッチＳ２をオンにする。これにより、抵抗Ｒ３は切り離され、Ａ／Ｄ変換器１６ａに供給される映像信号は、抵抗Ｒ１＝１．２ｋΩと抵抗Ｒ２＝２ｋΩによって分圧され、２．０Ｖの振幅でＡ／Ｄ変換器１６ａに入力される。これはダイナミックレンジ１００％に相当するものであり、
デジタル信号処理回路１６において、クロックノイズを低減しＳ／Ｎ（信号対雑音比）を向上することができる。なお、ダイナミックレンジ１００％とは、アナログ・デジタル変換器１６ａの許容入力振幅と入力映像信号振幅が等しく、言い換えれば、この状態ではダイナミックレンジは狭いと言うことになる。
【００３８】
この場合、Ｉ／Ｐ変換器１６ｂを経てＤ／Ａ変換器１６ｃからは、２．０Ｖの映像信号が出力されるが、レベル調整回路１９ｂの抵抗Ｒ１２に抵抗Ｒ１３が並列に接続されることになり、この並列回路の合成抵抗値は１．２ｋΩとなる。従ってＤ／Ａ変換器１６ｃからの映像信号は抵抗Ｒ１１＝１．２ｋΩと並列抵抗＝１．２ｋΩによって１Ｖに分圧され、ＲＧＢ変換回路１７に供給される。
【００３９】
一方、ＧＲ回路１３にてゴーストリダクション処理が正常に行えなかった場合、制御回路２０は、ＧＲ回路１３に対してゴーストリダクションの処理を停止させるとともに、スイッチＳ１をオンとし、スイッチＳ２をオフにする。これにより、抵抗Ｒ２には並列に抵抗Ｒ３が接続されることになり、この並列回路の合成抵抗値は１．２Ωとなる。従ってＡ／Ｄ変換器１６ａに供給される映像信号は抵抗Ｒ１＝１．２ｋΩと並列抵抗＝１．２ｋΩによって分圧され、１．６Ｖの振幅でＡ／Ｄ変換器１６ａに入力される。
【００４０】
これはダイナミックレンジ８０％に相当するものであり、例えばチューナの復調回路において、復調時に振幅誤差が生じたり、あるいは放送信号以外の外部入力信号を受信した場合に規定値以上（１００％以上）の振幅を有する信号が供給されることがあっても信号がスライスされないように余裕を持たせることができる。なお、ダイナミックレンジ８０％では、アナログ・デジタル変換器１６ａの許容入力振幅の方が入力映像信号振幅よりも大きくなっており、言い換えれば、この状態ではダイナミックレンジは広いと言うことになる。
【００４１】
これにより、Ｉ／Ｐ変換器１６ｂを経てＤ／Ａ変換器１６ｃからは、１．６Ｖの映像信号が出力されるが、この信号はレベル調整回路１９ｂの抵抗Ｒ１１（＝１．２ｋΩ）とＲ１２（＝２ｋΩ）によって１Ｖに分圧され、ＲＧＢ変換回路１７に供給される。こうして、ＲＧＢ変換回路１７にはいずれの状態においても同じ入力電圧（＝１Ｖ）が供給されるため、受像管１８の明るさレベルが第１の状態と第２の状態とで変動することなく、表示することができる。
【００４２】
なお、以上の動作を行うため、前記制御回路２０は図３に示すフローチャートに沿って動作する。即ち、キー操作部２１又はリモートコントローラ２２により、ゴーストキャンセラ処理を要求する操作がなされると、制御回路２０は、制御動作を開始する。
【００４３】
これにより制御回路２０は、ステップＳＴ１において、ＧＲ回路１３をオンに設定し、演算部１３ｄに対して演算開始の指示を行う。演算部１３ｄは、テレビジョン信号に重畳されているＧＣＲ信号の解析・演算処理を繰り返し、デジタルフィルタ部１３ｂに与える係数を更新し、係数を最適化するように動作する。
【００４４】
次に、前記制御回路２０内の検出回路２０１は、ステップＳＴ２において、前記ＧＲ回路１３によるゴーストリダクションの動作状態を判別し、ゴーストリダクション処理が正常に行えた場合と、ゴーストリダクション処理が正常に行えなかった場合とを判別する。
【００４５】
ゴーストリダクション処理が正常に行えた場合は、ステップＳＴ３により、レベル調整回路１９ａ，１９ｂのスイッチＳ１をオフとし、スイッチＳ２をオンにする。
【００４６】
また、ゴーストリダクション処理が正常に行えなかった場合は、ステップＳＴ４により、レベル調整回路１９ａ，１９ｂのスイッチＳ１をオンとし、スイッチＳ２をオフにする。こうして、ゴーストリダクション処理の状態に応じてレベル調整回路１９ａ，１９ｂは制御されることになる。
【００４７】
なお、ステップＳＴ２において、入力信号によっては、ゴーストリダクションの処理動作が不安定になり、処理が正常に行えた場合と、正常に行えなかった場合とが頻繁に検出されることも考えられるが、検出回路２０１の動作に時定数を持たせ、ゴーストリダクション処理が所定時間継続して正常に行えた場合のみステップＳＴ３に移行するように制御すれば、表示画面を安定化することができる。
【００４８】
次に前記レベル調整回路１９ａ，１９ｂの他の具体回路について図４を参照して説明する。図３の実施例において、Ａ／Ｄ変換器１６ａは、入力端子ａ１とリファレンス電圧端子ａ２を有し、端子ａ２に供給される電圧と同じ振幅の信号を入力端子ａ１に入力するとダイナミックレンジ１００％で動作する。またＤ／Ａ変換器１６ｃは出力端子ｃ１とリファレンス電圧端子ｃ２を有し、信号レベルが１００％のときに出力端子ｃ１には端子ｃ２の電圧と同じ振幅の映像信号を出力する。
【００４９】
一方、Ｖ／Ｃ／Ｄ処理回路１５からの出力信号は入力端子３１を介してＡ／Ｄ変換器１６ａの入力端子ａ１に供給され、前記レベル調整回路１９ａは、このＡ／Ｄ変換器１６ａのリファレンス電圧端子ａ２と基準電位点（アース）間に設けられた抵抗Ｒ２１と、この抵抗Ｒ２１並列に設けられた、抵抗Ｒ２２とスイッチＳ１１の直列回路を有する。また前記レベル調整回路１９ｂは、Ｄ／Ａ変換器１６ｃのリファレンス電圧端子ｃ２と基準電位点（アース）間に設けられた抵抗Ｒ３１と、この抵抗Ｒ３１並列に設けられた、抵抗Ｒ３２とスイッチＳ１２の直列回路を有している。なお、上記実施例において、各抵抗の値を例示すると、以下の通りである。
【００５０】
Ｒ２１＝８．０ｋΩ、Ｒ２２＝２．０ｋΩ
Ｒ３１＝２．０ｋΩ、Ｒ３２＝８．０ｋΩ
また、スイッチＳ１１とＳ１２は、前記制御回路２０からの制御信号に応答してオンオフ動作し、ゴーストリダクション処理が正常に行えた場合（第１の状態）、スイッチＳ１１とスイッチＳ１２はオンとなる。またゴーストリダクション処理が正常に行えなかった場合（第２の状態）、スイッチＳ１１とスイッチＳ１２はオフする。
【００５１】
また、Ａ／Ｄ変換器１６ａとＤ／Ａ変換器１６ｃは内部にそれぞれ１ｍＡの定電流源を有し、その電流をそれぞれリファレンス電圧端子ａ２，ｃ２を介してレベル調整回路１９ａ，１９ｂに流すことにより、リファレンス電圧端子ａ２，ｃ２に生じるリファレンス電圧を設定し、ダイナミックレンジを規定する。
【００５２】
次にこのようなレベル調整回路１９ａ、１９ｂの動作について説明する。前記制御回路２０は、ＧＲ回路１３に対しゴーストリダクション処理を開始するよう制御し、ＧＣＲ基準信号が信号に重畳されていない場合や同期はずれが発生した場合など、ゴーストリダクション処理が正常に行なわれなかった場合にそれを検出する検出回路２０１を有する。
【００５３】
今、Ｖ／Ｃ／Ｄ処理回路１５から振幅１．６Ｖの映像信号が出力されているものとし、スイッチＳ１１とＳ１２がオフの場合、Ａ／Ｄ変換器１６ａのリファレンス電圧端子ａ２には２Ｖの電圧が供給され、同様にＤ／Ａ変換器１６ｃのリファレンス電圧端子ｃ２にも２Ｖの電圧が供給されているものとする。
【００５４】
先ず、ゴーストリダクション処理が正常に行なわれたと考えられる場合には、制御回路２０はスイッチＳ１１をオンにし、スイッチ１２もオンにする。Ａ／Ｄ変換器１６ａのリファレンス電圧端子ａ２に発生するリファレンス電圧は、抵抗Ｒ１１（＝２ｋΩ）とＲ１２の抵抗（＝８ｋΩ）の並列抵抗（＝１．６ｋΩ）によって分圧され１．６Ｖとなる。
【００５５】
Ａ／Ｄ変換器１６ａは、リファレンス電圧端子ａ２に発生する電圧と同じ振幅の入力信号が入力されたときダイナミックレンジ１００％で動作するため、リファレンス電圧１．６Ｖに対し、Ｖ／Ｃ／Ｄ処理部１５から振幅１．６Ｖの信号が供給されるため、ダイナミックレンジ１００％で動作する。
【００５６】
一方、Ｄ／Ａ変換器１６ｃは、信号レベルが１００％のとき出力端子ｃ１にはリファレンス端子ｃ２の電圧と同じ振幅の映像信号を出力するため、ｃ２の電位は、抵抗Ｒ３１（＝２ＫΩ）と抵抗Ｒ３２（８ｋΩ）の並列値（１．６ｋΩ）で分圧され、１．６Ｖとなる。したがって出力端子ｃ１には１．６Ｖの信号が出力される。
【００５７】
次にゴーストリダクション処理が正常に行なわれなかった場合、制御回路２０の検出回路２０１の出力によって、スイッチＳ１１とＳ１２はオフとなる。この場合、Ａ／Ｄ変換器１６ａのリファレンス電圧端子ａ２は、抵抗Ｒ２１（＝２ｋΩ）を介して基準電位点（アース）に接続され、端子ａ２には２Ｖの電圧が供給される。このとき、入力端子ａ１にはＶ／Ｃ／Ｄ処理回路１５から振幅１．６Ｖの信号が供給されているため、Ａ／Ｄ変換器１６ａはダイナミックレンジの８０％（＝１００％×１．６／２）で動作することになる。
【００５８】
またＤ／Ａ変換器１６ｃは、信号レベルが１００％のときに出力端子ｃ１に端子ｃ２の電圧と同じ振幅の映像信号を出力するものであり、リファレンス電圧端子ｃ２は抵抗Ｒ３１（＝２ｋΩ）を介して基準電位点（アース）に接続されるため、端子ｃ２には２Ｖの電圧が供給されるが、Ａ／Ｄ変換器１６ａがダイナミックレンジ８０％で動作するため、出力端子ｃ１からは１．６Ｖの信号が出力される。
【００５９】
このように図４の実施例においても、Ａ／Ｄ変換器１６ａは、ゴーストリダクションが正常に動作したときダイナミックレンジ１００％で動作し、そうでない場合には８０％で動作するが、ＲＧＢ変換部に供給される振幅は等しい値になっている。
【００６０】
なお、図４の実施例においては、前記制御回路２０は図５に示すフローチャートに従って動作する。図３の例と異なるのは、ステップＳＴ３ではスイッチＳ１１，Ｓ１２が共にオフとなり、ステップＳＴ４ではスイッチＳ１１，Ｓ１２が共にオンする点である。
【００６１】
【発明の効果】
本考案の実施例では、ゴーストリダクションが正常に動作した場合にはＡ／Ｄ変換器を狭いダイナミックレンジで使用することにより、従来よりもＳ／Ｎ比が向上したノイズの少ない映像を提供することができる効果がある。また、ゴーストリダクションが正常に動作せず、１００％以上の振幅の入力信号が供給された場合は、広いダイナミックレンジで使用するため、信号がスライスされることを防止できる。
【図面の簡単な説明】
【図１】この発明に係るゴーストリダクション機能を備えたテレビジョン受信機の第１の実施形態を説明するために示す回路ブロック図。
【図２】同実施形態におけるレベル調整回路の一実施例を示す回路図。
【図３】図２の実施例を制御する場合の制御回路の動作を説明するフローチャート。
【図４】同実施形態におけるレベル調整回路の他の実施例を示す回路図。
【図５】図４の実施例を制御する場合の制御回路の動作を説明するフローチャート。
【符号の説明】
１１…アンテナ
１２…選局回路
１３…ゴーストキャンセラ（ＧＲ回路）
１４…Ｙ／Ｃ分離回路
１５…Ｖ／Ｃ／Ｄ処理回路
１６…デジタル信号処理回路
１６ａ…Ａ／Ｄ変換器
１６ｃ…Ｄ／Ａ変換器
１７…ＲＧＢ変換回路
１８…受像管
１９ａ，１９ｂ…レベル調整回路
２０…制御回路
２０１…検出回路
２１…キー操作部
２２…リモートコントローラ
【図１】
2004015265.tif 000003
【図２】
2004015265.tif 000004
【図３】
2004015265.tif 000005
【図４】
2004015265.tif 000006
【図５】
2004015265.tif 000007